【手続補正書】
【提出日】平成22年6月30日(2010.6.30)
【手続補正１】
【補正対象書類名】特許請求の範囲
【補正対象項目名】全文
【補正方法】変更
【補正の内容】
【特許請求の範囲】
【請求項１】
画像形成装置に接続され、印刷データを送信する情報処理装置と、ユーザの認証を行う認証サーバと通信するネットワークインタフェース装置であって、
前記情報処理装置から送信される印刷データを受け付ける受付手段と、
前記受付手段で受け付けた前記印刷データを記憶する記憶手段と、
読取対象物を読み取ることによって得られるユーザを識別するためのユーザ識別情報を含む認証要求を前記認証サーバへ送信する認証要求送信手段と、
前記認証サーバと通信可能な状態か否かを判断する判断手段と、
前記判断手段による判断の結果、前記認証サーバと通信可能な状態であり、前記認証要求送信手段で前記認証サーバに送信した前記ユーザ識別情報が認証された場合に、前記記憶手段によって記憶されている前記印刷データのうち、前記認証要求送信手段で送信した前記ユーザ識別情報に応じた印刷データを取得する取得手段と、
前記判断手段により、前記認証サーバと通信不可状態であると判断された場合に、前記受付手段で受け付けた前記印刷データを、前記記憶手段によって記憶する設定を解除する解除手段と、
前記取得手段で取得した印刷データ、または、前記解除手段により前記記憶する設定が解除されている場合、前記受付手段で受け付けた印刷データを、前記画像形成装置で印字するために、前記画像形成装置に送信する印刷データ送信手段と
を備えることを特徴とするネットワークインタフェース装置。
【請求項２】
一定間隔で前記認証サーバと通信可能な状態であるか否かを確認する接続確認手段と、
前記接続確認手段による確認の結果、前記認証サーバと通信可能な状態であり、前記受付手段で受け付けた前記印刷データを前記記憶手段によって記憶する設定が解除されている場合に、前記設定を再設定する第１の再設定手段と、
を更に備えることを特徴とする請求項１に記載のネットワークインタフェース装置。
【請求項３】
前記ユーザ識別情報は、当該ユーザ識別情報に対応するユーザとは異なるユーザの情報であるサブユーザ情報と紐付けて管理され、
前記取得手段は、前記記憶手段によって記憶されている印刷データから、前記ユーザ識別情報に応じた印刷データに加え、前記サブユーザ情報に応じた印刷データを取得することを特徴とする請求項１または２に記載のネットワークインタフェース装置。
【請求項４】
前記解除手段は、前記印刷データに設定されるポート番号を、監視対象から除外することを特徴とする請求項１乃至３のいずれか１項に記載のネットワークインタフェース装置。
【請求項５】
前記記憶手段は、前記受付手段で受け付けた前記印刷データを暗号化して記憶することを特徴とする請求項１乃至４のいずれか１項に記載のネットワークインタフェース装置。
【請求項６】
画像形成装置に接続され、印刷データを送信する情報処理装置と、ユーザの認証を行う認証サーバと通信し、記憶部を備えるネットワークインタフェース装置における印刷制御方法であって、
前記ネットワークインタフェース装置の受付手段が、前記情報処理装置から送信される印刷データを受け付ける受付工程と、
前記ネットワークインタフェース装置の記憶手段が、前記受付工程で受け付けた前記印刷データを記憶する記憶工程と、
前記ネットワークインタフェース装置の認証要求送信手段が、読取対象物を読み取ることによって得られるユーザを識別するためのユーザ識別情報を含む認証要求を前記認証サーバへ送信する認証要求送信工程と、
前記ネットワークインタフェース装置の判断手段が、前記認証サーバと通信可能な状態か否かを判断する判断工程と、
前記ネットワークインタフェース装置の取得手段が、前記判断工程による判断の結果、前記認証サーバと通信可能な状態であり、前記認証要求送信手段で前記認証サーバに送信した前記ユーザ識別情報が認証された場合に、前記記憶手段によって記憶されている前記印刷データのうち、前記認証要求送信手段で送信した前記ユーザ識別情報に応じた印刷データを取得する取得工程と、
前記ネットワークインタフェース装置の解除手段が、前記判断工程により、前記認証サーバと通信不可状態であると判断された場合に、前記受付工程で受け付けた前記印刷データを、前記記憶工程によって記憶されている設定を解除する解除工程と、
前記ネットワークインタフェース装置の印刷データ送信手段が、前記取得工程で取得した印刷データ、または、前記解除工程により前記記憶する設定が解除されている場合、前記受付工程で受け付けた印刷データを、前記画像形成装置で印字するために、前記画像形成装置に送信する印刷データ送信工程と
を含むことを特徴とする印刷制御方法。
【請求項７】
画像形成装置に接続され、印刷データを送信する情報処理装置と、ユーザの認証を行う認証サーバと通信するネットワークインタフェース装置をコンピュータで読み取り実行可能な印刷制御プログラムであって、
当該ネットワークインタフェース装置を、
前記情報処理装置から送信される印刷データを受け付ける受付手段と、
前記受付手段で受け付けた前記印刷データを記憶する記憶手段と、
読取対象物を読み取ることによって得られるユーザを識別するためのユーザ識別情報を含む認証要求を前記認証サーバへ送信する認証要求送信手段と、
前記認証サーバと通信可能な状態か否かを判断する判断手段と、
前記判断手段による判断の結果、前記認証サーバと通信可能な状態であり、前記認証要求送信手段で前記認証サーバに送信した前記ユーザ識別情報が認証された場合に、前記記憶手段によって記憶されている前記印刷データのうち、前記認証要求送信手段で送信した前記ユーザ識別情報に応じた印刷データを取得する取得手段と、
前記判断手段により、前記認証サーバと通信不可状態であると判断された場合に、前記受付手段で受け付けた前記印刷データを、前記記憶手段によって記憶する設定を解除する解除手段と、
前記取得手段で取得した印刷データ、または、前記解除手段により前記記憶する設定が解除されている場合、前記受付手段で受け付けた印刷データを、前記画像形成装置で印字するために、前記画像形成装置に送信する印刷データ送信手段と
して機能させる印刷制御プログラム。
【請求項８】
請求項１乃至５のいずれかに記載の前記ネットワークインタフェース装置を有する画像形成装置であって、
前記ネットワークインタフェース装置が前記受付手段で受け付け、前記画像形成装置で印字するために送信する印刷データ送信手段により、前記ネットワークインタフェース装置より送信された印刷データを受け付ける第二の受付手段と、
前記第二の受付手段で受け付けた印刷データを出力する出力手段と
を備えることを特徴とする画像形成装置。
【手続補正２】
【補正対象書類名】明細書
【補正対象項目名】００１１
【補正方法】変更
【補正の内容】
【００１１】
前述した目的を達成するために第１の発明は、画像形成装置に接続され、印刷データを送信する情報処理装置と、ユーザの認証を行う認証サーバと通信するネットワークインタフェース装置であって、前記情報処理装置から送信される印刷データを受け付ける受付手段と、前記受付手段で受け付けた前記印刷データを記憶する記憶手段と、読取対象物を読み取ることによって得られるユーザを識別するためのユーザ識別情報を含む認証要求を前記認証サーバへ送信する認証要求送信手段と、前記認証サーバと通信可能な状態か否かを判断する判断手段と、前記判断手段による判断の結果、前記認証サーバと通信可能な状態であり、前記認証要求送信手段で前記認証サーバに送信した前記ユーザ識別情報が認証された場合に、前記記憶手段によって記憶されている前記印刷データのうち、前記認証要求送信手段で送信した前記ユーザ識別情報に応じた印刷データを取得する取得手段と、前記判断手段により、前記認証サーバと通信不可状態であると判断された場合に、前記受付手段で受け付けた前記印刷データを、前記記憶手段によって記憶する設定を解除する解除手段と、前記取得手段で取得した印刷データ、または、前記解除手段により前記記憶する設定が解除されている場合、前記受付手段で受け付けた印刷データを、前記画像形成装置で印字するために、前記画像形成装置に送信する印刷データ送信手段とを備えることを特徴とするネットワークインタフェース装置である。
【手続補正３】
【補正対象書類名】明細書
【補正対象項目名】００１３
【補正方法】変更
【補正の内容】
【００１３】
前記ネットワークインタフェース装置は、一定間隔で前記認証サーバと通信可能な状態であるか否かを確認する接続確認手段と、前記接続確認手段による確認の結果、前記認証サーバと通信可能な状態であり、前記受付手段で受け付けた前記印刷データを前記記憶手段によって記憶する設定が解除されている場合に、前記設定を再設定する第１の再設定手段と、を更に備える。
【手続補正４】
【補正対象書類名】明細書
【補正対象項目名】００１４
【補正方法】変更
【補正の内容】
【００１４】
前記ユーザ識別情報は、当該ユーザ識別情報に対応するユーザとは異なるユーザの情報であるサブユーザ情報と紐付けて管理され、前記ネットワークインタフェース装置の前記取得手段は、前記記憶手段から前記ユーザ識別情報に応じた印刷データに加え、前記サブユーザ情報に応じた印刷データを取得する。
従来、ＩＣカード一枚につき１ユーザまでしか登録できなかったため、秘書が上司の印刷物を出力したい場合はＩＣカードを借りなければならず、一人で複数台のＰＣを使っているユーザは複数枚のＩＣカードを携帯する必要があった。第１の発明に係るユーザ識別情報をサブユーザ情報と紐付けて管理することにより、１枚のＩＣカードで複数ユーザの印刷物を出力することが可能となる。
【手続補正５】
【補正対象書類名】明細書
【補正対象項目名】００１６
【補正方法】変更
【補正の内容】
【００１６】
第２の発明は、画像形成装置に接続され、印刷データを送信する情報処理装置と、ユーザの認証を行う認証サーバと通信し、記憶部を備えるネットワークインタフェース装置における印刷制御方法であって、前記ネットワークインタフェース装置の受付手段が、前記情報処理装置から送信される印刷データを受け付ける受付工程と、前記ネットワークインタフェース装置の記憶手段が、前記受付工程で受け付けた前記印刷データを記憶する記憶工程と、前記ネットワークインタフェース装置の認証要求送信手段が、読取対象物を読み取ることによって得られるユーザを識別するためのユーザ識別情報を含む認証要求を前記認証サーバへ送信する認証要求送信工程と、前記ネットワークインタフェース装置の判断手段が、前記認証サーバと通信可能な状態か否かを判断する判断工程と、前記ネットワークインタフェース装置の取得手段が、前記判断工程による判断の結果、前記認証サーバと通信可能な状態であり、前記認証要求送信手段で前記認証サーバに送信した前記ユーザ識別情報が認証された場合に、前記記憶手段によって記憶されている前記印刷データのうち、前記認証要求送信手段で送信した前記ユーザ識別情報に応じた印刷データを取得する取得工程と、前記ネットワークインタフェース装置の解除手段が、前記判断工程により、前記認証サーバと通信不可状態であると判断された場合に、前記受付工程で受け付けた前記印刷データを、前記記憶工程によって記憶されている設定を解除する解除工程と、前記ネットワークインタフェース装置の印刷データ送信手段が、前記取得工程で取得した印刷データ、または、前記解除工程により前記記憶する設定が解除されている場合、前記受付工程で受け付けた印刷データを、前記画像形成装置で印字するために、前記画像形成装置に送信する印刷データ送信工程とを含むことを特徴とする印刷制御方法である。
【手続補正６】
【補正対象書類名】明細書
【補正対象項目名】００１７
【補正方法】変更
【補正の内容】
【００１７】
第３の発明は、画像形成装置に接続され、印刷データを送信する情報処理装置と、ユーザの認証を行う認証サーバと通信するネットワークインタフェース装置をコンピュータで読み取り実行可能な印刷制御プログラムであって、当該ネットワークインタフェース装置を、前記情報処理装置から送信される印刷データを受け付ける受付手段と、前記受付手段で受け付けた前記印刷データを記憶する記憶手段と、読取対象物を読み取ることによって得られるユーザを識別するためのユーザ識別情報を含む認証要求を前記認証サーバへ送信する認証要求送信手段と、前記認証サーバと通信可能な状態か否かを判断する判断手段と、前記判断手段による判断の結果、前記認証サーバと通信可能な状態であり、前記認証要求送信手段で前記認証サーバに送信した前記ユーザ識別情報が認証された場合に、前記記憶手段によって記憶されている前記印刷データのうち、前記認証要求送信手段で送信した前記ユーザ識別情報に応じた印刷データを取得する取得手段と、前記判断手段により、前記認証サーバと通信不可状態であると判断された場合に、前記受付手段で受け付けた前記印刷データを、前記記憶手段によって記憶する設定を解除する解除手段と、前記取得手段で取得した印刷データ、または、前記解除手段により前記記憶する設定が解除されている場合、前記受付手段で受け付けた印刷データを、前記画像形成装置で印字するために、前記画像形成装置に送信する印刷データ送信手段として機能させる印刷制御プログラムである。
【手続補正７】
【補正対象書類名】明細書
【補正対象項目名】００１８
【補正方法】変更
【補正の内容】
【００１８】
第４の発明は、前記ネットワークインタフェース装置が前記受付手段で受け付け、前記画像形成装置で印字するために送信する印刷データ送信手段により、前記ネットワークインタフェース装置より送信された印刷データを受け付ける第二の受付手段と、前記第二の受付手段で受け付けた印刷データを出力する出力手段とを備えることを特徴とする画像形成装置である。